(57)【要約】【課題】本発明は、山林・農地・その他の場所等における草刈作業時の刈払機等の動力草刈機の刃等による脛部切創事故防止に最適な、安全な脚絆に用いられる防護体および防護体付き脚絆を提供すること。【解決手段】伸縮しやすい布地と、伸縮し難い布地との結合により形成された複数のポケットを有する金属板保持体と、前記ポケットに挿入され、挿入された状態で、隣り合う金属板同士がその端部において互いに重なり合う状態に配列された複数の金属板と、脚絆側に設けられた緩衝体と、からなる脚絆に用いられる防護体および、これと市販用脚絆とを一体化した防護体付脚絆。【選択図】図５
2008038319.tif 000002
【特許請求の範囲】
【請求項１】
伸縮しやすい布地と、伸縮し難い布地との結合により形成された複数のポケットを有する金属板保持体と、前記ポケットに挿入され、挿入された状態で、隣り合う金属板同士がその端部において互いに重なり合う状態に配列された複数の金属板と、脚絆側に設けられた緩衝体と、からなる脚絆に用いられる防護体。
【請求項２】
前記金属板ポケットの幅が、金属板が挿入される前は前記金属板の幅よりも小さく形成されている請求項１記載の脚絆に用いられる防護体。
【請求項３】
前記金属板は、幅方向において上部が広く、下方にいくにしたがって狭くなる細長い逆台形状に形成されている請求項２記載の脚絆に用いられる防護体。
【請求項４】
前記請求項１、請求項２又は請求項３のいずれかに記載の脚絆に用いられる防護体を脚絆の外側に取り付け一体化した、防護体付き脚絆。
【請求項５】
脚絆に用いられる防護体の脚絆への取り付け一体化は、縫い合わせ、面ファスナーあるいはホックのいずれかにより行われた請求項４記載の防護体付き脚絆。
【請求項６】
脚絆に用いられる防護体の脚絆へ取り付けは、防護体と脚絆との間に、空隙部を設けるように取り付け一体化した請求項４又は請求項５記載の防護体付き脚絆。
【発明の詳細な説明】
【技術分野】
【０００１】  本発明は、山林・農地・その他の場所等における草刈作業時の刈払機等の動力草刈機の回転刃等による脛部切創事故防止に最適な、脚絆に用いられる防護体および防護体付き脚絆に関する。
【背景技術】
【０００２】  近年、山林や農地における草刈り作業は、もっぱら小型エンジンを有する動力草刈機（刈払機）によって行われている。非常に効率的である反面、高速回転する円盤状の刃先が鋭利であるため、作業時に、作業者が自らの足部、特に脛部を傷つけてしまう事故が多くその解決が求められてきた。【０００３】  これらの課題解決のために、例えば実開昭５９−６１２２０が提案されている。しかし、多数の鎖を脚絆に縫い込んであるが鎖と鎖の間隔が離れており、鋭利な刈払機等の刃から脛部を防護することはできなかった。これらの欠点を取り除くものとして、特開２００４−１６２２００号の安全脚絆が提案されている。しかし、この安全脚絆は市販の脚絆に比較すれば、安全であるものの、次のような点で問題点があり、その解決策が求められていた。【０００４】  （１）脚絆本体に直接金属板を内装させる構造のため製作に手間がかかり価格が高くな      る。
（２）金属板の内装が金属板よりも大きい袋状を縫い合わせによって形成するため、縫      い目によって金属板同士が離れてしまうため、脛部に巻きつけた状態によっては図      ７に示すように、更に金属板３同士の間隔が開いてしまし、その状態において鋭利      な円盤状の刃先が接触した場合、金属板３を掘り起こしてしまい、損傷させること      があった。
（３）脚絆本体に直接金属板を内装させる構造のため、脛部に装着させた場合、高速回      転する円盤状の刃先に接触した場合、かなりの衝撃となるが、それを十分に吸収で      きず、脛部を痛めることがあった。【０００５】
【特許文献１】実開昭５９−６１２２０号公報
【特許文献２】特開平２００４−１６２２００号公報
【発明が解決しようとする課題】
【０００６】  この発明が解決しようとする課題は、低価格で、装着性がよく、安全性が高い脚絆に用いられる防護体及び防護体付き脚絆を提供することにある。
【課題を解決するための手段】
【０００７】  上記課題を解決するために、
請求項１の脚絆に用いられる防護体の発明では、
伸縮しやすい布地と、伸縮しにくい布地との結合により形成された複数のポケットを有する金属板保持体と、前記ポケットに挿入され、挿入された状態で、隣り合う金属板同士がその端部において互いに重なり合う状態に配列された複数の金属板と、脚絆側に設けられた緩衝体と、からなる脚絆に用いられる防護体としたことを特徴とする。
請求項２の発明では、
前記金属板ポケットの幅が、金属板が挿入される前は前記金属板の幅よりも小さく形成されている請求項１記載の脚絆に用いられる防護体であることを特徴とする。
請求項３の発明では、
前記金属板は、幅方向において上部が広く、下方にいくにしたがって狭くなる細長い逆台形状に形成されている請求項２記載の脚絆に用いられる防護体であることを特徴とする。
請求項４の発明では
前記請求項１、請求項２又は請求項３のいずれかに記載の脚絆に用いられる防護体を脚絆の外側に取り付け一体化した、防護体付き脚絆であることを特徴とする。
請求項５の発明では
脚絆に用いられる防護体の脚絆への取り付け一体化は、縫い合わせ、面ファスナーあるいはホックのいずれかにより行われた請求項４記載の防護体付き脚絆であることを特徴とする。
請求項６の発明では
脚絆に用いられる防護体の脚絆へ取り付けは、防護体と脚絆との間に、空隙部を設けるように取り付け一体化した請求項４又は請求項５記載の防護体付き脚絆を特徴とする。
【発明の効果】
【０００８】  本発明によれば、安全性の高い、脚絆に用いられる防護体を低価格で提供できる。また、脚絆と防護体とを、組み合わせ一体化することにより、低価格で、装着性がよく、より安全性が高い防護体付き脚絆を提供することができる。
【発明を実施するための最良の形態】
【実施例１】
【０００９】  以下、本発明の脚絆３０に用いられる防護体１０を図１、図２、図３、図６の図面にもとづいて説明する。図１は本発明の脚絆に用いられる防護体１０の一部を構成する金属板保持体１８を示しており、図２は金属板１０を、図３は金属板１２を金属板保持体１４に挿入保持した状態を示している。図１において、金属板保持体１４は伸縮しにくい布地１６と伸縮しやすい布地１８を結合することにより、複数のポケット１４Ａを形成した状態を示している。両布地の結合によりポケット１４Ａを形成するには、両布地を縫い合わせすることにより行うことが望ましいが、接着剤により両布地を接着することにより行ってもよい。【００１０】  尚、伸縮しにくい布地としてはナイロンやアラミド繊維のような、耐久性および耐摩耗性のあるもの望ましいが、これに限られるものではない。伸縮しやすい布地としては、伸びやすく金属板１２を保持できる強さをもっていればよい。たとえばニット状のものが望ましい。
金属板１２は、強度と価格から材質としては鉄製、特にステンレスが望ましいが、これに限られるものではなく、必要な強度があり、適正な価格の金属板であればよい。金属板１２の形状は装着したときに上部に位置する上端Ｗ１の幅が下端Ｗ２よりも広く、長さＬの短冊状の形状をしている。日本人の平均的な体格からすると、Ｗ１は２５〜３５ｍｍ、Ｗ２は１５〜３３ｍｍ、Ｌは２００〜２２０ｍｍ、厚みは０．４ｍｍ〜０．８ｍｍの範囲で特に０．６ｍｍの寸法のものが望ましい。【００１１】  図１の、ポケット１４Ａの幅寸法Ｗは、金属板の幅Ｗ１、Ｗ２よりも、金属板の重なり代分だけ狭く作られている。
このポケット１４Ａに金属板１２を上から挿入すると、伸縮しやすい布地１８が幅方向に伸びた状態で金属板１２を保持する。そして金属板１２を次々と連続して挿入していけば図３に示すように伸びた布地分だけ、隣り合う金属板１２同士を重なり合わせることができる。こうすることにより、隣り合う金属板１２同士が重なりあった、金属板保持体１４が完成する。
金属板１２の重なりと配列は刈払機４０の回転刃４０Ａが通常反時計回りの回転であることから、図６に示すように脛に装着した時に、右側方向に順に重なっていくように、後述する脚絆３０との取り付ける場合に注意をする。【００１２】  次に、図６に示すように、前記金属板保持体１４の伸縮しやすい布地１８側に、緩衝体１５を取り付ける。緩衝体１５は、例えば、スポンジ、不織布、ポリウレタン等の発泡体からなるものを用い、先の伸縮しにくく、耐摩耗性、耐久性のある布地によって包み込まれており、金属板保持体１４と縫い合わせ一体化することにより、防護体１０が完成する。【００１３】  尚、例えば金属板保持体１４を製作する場合、伸縮にくい布地１６にあらかじめ、緩衝体１５の大きさを想定して、その分大きく製作しておき、緩衝体１９を配置した後、布地を縫い合わせすることによって、一体的に製作にしてもよい。
こうした構成にすることにより、金属板１２が、隣り合い同士少し重なり合って配列されているため、図６に示すように刈払機４０の回転刃４０Ａ（通常反時計方向に回転）が接触したとしても、重なりあった金属板１０を刃先４０Ａが押しつける方向の力として働くため、隣り合う金属板１２同士の配列を損傷させることがなく、脚絆３０及び脛部を防護することが可能となる。
又、緩衝体１５を備えているため、回転刃４０Ａが当たった場合でも、脛部への衝撃を緩和させることができる。
【実施例２】
【００１４】次に、実施例１の防護体１０と脚絆との組み合わせ構造である防護体付き脚絆２０について、図４、図５、図６を参照して説明する。
図５は脚絆３０に防護体１０を一体的に取り付けた状態を示している。
脚絆３０は、例えば表布、裏布を重ねて縫い合わせたものの表面の一方で、縦方向に複数の掛糸を設け、裏面に前記掛糸に掛止めるコハゼを多数設けており、また、上下に一対の紐を固着して足に結ぶ公知な構成からなっている。
取り付ける方法としては、脚絆も防護体１０も、互いに外表面が布地であるため、縫い合わせにした方が確実に取り付け可能であるため望ましいが、これに限られるものではなく、面ファスナーによる取り付け、ホック止めにより取り付けでもよい。後段の面ファスナー、ホックによる取り付けは、取り外しやすいので、脚絆３０が汗で汚れた場合、脚絆３０のみを洗濯すればよいので便利である。【００１５】  尚、脚絆３０に防護体１０を取り付ける場合、脚絆３０と防護体１０とはぴったりと取り付けず、空隙部Ｋを設けて取り付けることが重要である。これは図４に示すように空隙部Ｋがあれば、刈払機４０の回転刃４０Ａが防護体１０に大きな衝撃力をもって当たったとしても、刃の切り欠く力は防護体１０で、衝撃力は、空隙部Ｋによって吸収し、万が一空隙部Ｋで吸収できなくとも、最終的には緩衝体１５で吸収し、脛部に打撃を与えることがない。
このように、脚絆３０と、防護体１０を取り付けることにより、安全で、使い勝手のよい防護体付き脚絆２０を低価格で提供することができる。
脚絆３０は専用に製作してもよいが、一般的に市販されているものが大量生産で低価格で入手できるので市販用脚絆を用いることが望ましい。
なお、この発明は、上記実施例に限定されるものではなく、要旨を変更しない範囲で種々設計しうること勿論である。
【図面の簡単な説明】
【００１６】
【図１】  は実施例１の脚絆に用いられる防護体の金属板装着体を示す要部斜視図である。
【図２】  実施例１の金属板の形状を示す平面図である。
【図３】  実施例１の金属板装着体に金属板を装着した場合の部分斜視図ある。
【図４】  実施例２の防護体付き脚絆半に刈払機の回転刃が当たった場合の想定斜視図である。
【図５】  実施例２の防護体付き脚絆の全体斜視図である。
【図６】  実施例１の脚絆に用いられる防護体の構成を示す断面図である。
【図７】  従来技術の欠点を示す部分断面図である。
【符号の説明】
【００１７】１０    防護体
１２    金属板
１４    金属板保持体
１４Ａ  ポケット
１５    緩衝体
１６    伸縮しにくい布地
１８    伸縮しやすい布地
１９    結合部
２０    防護体付脚絆
３０    脚絆
Ｋ      空隙部
【図１】
2008038319.tif 000003
【図２】
2008038319.tif 000004
【図３】
2008038319.tif 000005
【図４】
2008038319.tif 000006
【図５】
2008038319.tif 000007
【図６】
2008038319.tif 000008
【図７】
2008038319.tif 000009